(57)【要約】【課題】シンプル且つ小型で携帯性に優れ、ベルトに簡単に着脱出来、釣竿の竿尻を本器具の輪の中に差込むだけの操作で釣竿を保持、両手を使える状態になり且つ、竿先が釣り人の前方向に保持されるので仕掛等の絡みを防ぎ釣針や餌の取替えを容易にする器具を提供することを課題とする。【解決手段】魚の立釣りにおいて、釣竿を腰位置に保持し、仕掛けや餌替えを容易にする器具で、平らな帯状のものを輪にして楕円状に形成し、楕円形の長い部分の片方の前方と後方に面ファスナーまたは紐などを取付け、腰のベルト等に固定し、釣竿の竿尻をその輪の中に差込むことで、釣竿を簡単に身近かに保持できる。【選択図】図３
0003106313.tif 000002
【実用新案登録請求の範囲】
【請求項１】
魚釣りにおいて、釣竿を腰位置に保持し、仕掛けや餌替えを容易にする器具で、平らな帯状のものを輪にして楕円状に形成し、楕円形の長い部分の片方の前方と後方にマジックテープ（登録商標）または紐などを取付け、腰のベルト等に固定し、釣竿の竿尻をその輪の中に差込むことで、釣竿を簡単に身近かに保持できる器具。
【考案の詳細な説明】
【技術分野】
【０００１】
本考案は魚の立釣りで釣竿を腰位置に保持し、両手を使えるようにする竿受け器具の形状とその使用方法に関する
【背景技術】
【０００２】
従来、魚釣りの竿受け器具は、竿立てやクーラーなどに取付けるものを含め身体から離れた場所に設置され、移動する場合にそれらを外すかまたは一緒に持運ぶ必要があった。
身近かに保持する器具としては、竿尻を入れる筒を腰に装着するものや、ベルトに竿をロックする装置を取付けたものがある。
【特許文献１】特開平９−２６６７４５号公報
【特許文献２】登実新３０７１２３１号公報
【特許文献３】特開２００１−２１８５４４号公報
【考案の開示】
【考案が解決しようとする課題】
【０００３】
しかしながら、以上によれば腰部以外、脚部にも器具を結び付けなければならず、竿が垂直になったり、竿の保持角度がずれたりして安定性を欠き、両手を自由に使って、仕掛や餌の交換を行うには実用性に耐えない。またベルトに竿保持装置を取付けたものは、竿をロックする装置の操作が必要になり竿の太さの加減やロック方法に難があり、いずれも器具としては軽易性、簡便性、携帯性に不足であった。
そこで、本考案はシンプル且つ小型で携帯性に優れ、立釣りの際ベルトに簡単に着脱出来、釣竿の竿尻を本器具の輪の中に差込むだけの操作で釣竿を保持、両手を使える状態になり且つ、竿先が釣り人の前方向に保持されるので仕掛け等の絡みを防ぎ釣針や餌の取替えを容易にする竿受け器具を提供することを課題とする。
【課題を解決するための手段】
【０００４】
以上の課題を解決するために、請求項1の考案は、平らな帯状のものを輪にして楕円状に形成し、楕円形の長い部分の片方の前方と後方にマジックテープ（登録商標）または紐などを取付け、腰のベルト等に固定し、釣竿の竿尻をその輪の中に差込むことで、釣竿を簡単に身近かに保持できる器具によって両手を使えるようにした。
【考案の効果】
【０００５】
この考案によれば、魚の立釣りにおいて、簡単に釣竿を腰位置に保持し、両手を使える状態にすることができる。
【考案を実施するための最良の形態】
【０００６】
この考案の一実施形態を、図1に示す。
（１）は平らな帯状のものを輪にして楕円形に形成した竿受け本体。（２）は楕円形に形成した輪の片側を身体に取付け易いように平らにする。（３）は竿受け本体をベルト等に固定するためのマジックテープ（登録商標）など。
【０００７】
（１）の竿受け本体の帯状の幅は広すぎると挿入した釣竿の傾斜が高くなり竿が保持されずに竿尻方向下方に落込んでしまう。また形成された型が柔らかければ竿を挿入した際に保持出来ないので型崩れしない程度の強度が必要である。この形成により竿尻の大小や形、竿の長短に拘らずに使用可能である。勿論左右どちらでもＯＫ。
【０００８】
（３）はマジックテープ（登録商標）または紐などをベルトに固定出来るように取付ける。
【実施例１】
【０００９】
図2は竿受け器本体を釣人の腰のベルトに装着した状態である。
（１）は釣竿受け器本体。（３）はマジックテープ（登録商標）などでベルトに固定した状態。（４）は釣人のスラックス。（５）はベルト。（６）はスラックスのベルト通し。
【００１０】
（５）のベルトは（６）のベルト通しによって更に固定されるので上下へのズレが少なくなる。
【実施例２】
【００１１】
図３は腰に装着した釣竿受け器に釣竿の竿尻を挿入した状態。
（１）は釣竿受け器本体。（７）は釣竿の竿尻部。（８）は釣竿の先端方向。
【実施例３】
【００１２】
図４は釣竿受け器に挿入された釣竿を安定保持する仕組みを示したものである。
【００１３】
（１）は釣竿受け器本体。（７）は釣竿の竿尻部。（８）は釣竿の先端方向。（９）は釣竿の竿尻が上方向に持上がる力を支える接点。（１０）は釣竿の先端方向が下方に下がる重力を支える接点。
【図面の簡単な説明】
【００１４】
【図１】釣竿受け器具の概観図
【図２】釣竿受け器具を釣人の腰のベルトに装着した状態
【図３】釣人の腰に装着した釣竿受け器具に釣竿を挿入保持した状態
【図４】挿入された釣竿を安定保持する仕組みを示したもの
【符号の説明】
【００１５】
１．釣竿受け器本体
２．釣竿受け器の内側（身体側）
３．マジックテープ（登録商標）など
４．釣人のスラックス
５．釣人のベルト
６．スラックスのベルト通し
７．釣竿の竿尻
８．釣竿の先端方向
９．釣竿の竿尻部分が上方向に持上がるのを支える釣竿受け器の接点
１０．釣竿の先端方向部分が下方向に下がる重力を支える釣竿受け器の接点
【図１】
0003106313.tif 000003
【図２】
0003106313.tif 000004
【図３】
0003106313.tif 000005
【図４】
0003106313.tif 000006
【手続補正書】
【提出日】平成16年8月6日(2004.8.6)
【手続補正１】
【補正対象書類名】実用新案登録請求の範囲
【補正対象項目名】全文
【補正方法】変更
【補正の内容】
【実用新案登録請求の範囲】
【請求項１】
魚釣りにおいて、釣竿を腰位置に保持し、仕掛けや餌替えを容易にする器具で、平らな帯状のものを輪にして楕円状に形成し、楕円形の長い部分の片方の前方と後方に面ファスナーまたは紐などを取付け、腰のベルト等に固定し、釣竿の竿尻をその輪の中に差込むことで、釣竿を簡単に身近かに保持できる器具。
【手続補正２】
【補正対象書類名】明細書
【補正対象項目名】全文
【補正方法】変更
【補正の内容】
【考案の詳細な説明】
【技術分野】
【０００１】
本考案は魚の立釣りで釣竿を腰位置に保持し、両手を使えるようにする竿受け器具の形状とその使用方法に関する
【背景技術】
【０００２】
従来、魚釣りの竿受け器具は、竿立てやクーラーなどに取付けるものを含め身体から離れた場所に設置され、移動する場合にそれらを外すかまたは一緒に持運ぶ必要があった。身近かに保持する器具としては、竿尻を入れる筒を腰に装着するものや、ベルトに竿をロックする装置を取付けたものがある。
【特許文献１】特開平９−２６６７４５号公報
【特許文献２】登実新３０７１２３１号公報
【特許文献３】特開２００１−２１８５４４号公報
【考案の開示】
【考案が解決しようとする課題】
【０００３】
しかしながら、以上によれば腰部以外、脚部にも器具を結び付けなければならず、竿が垂直になったり、竿の保持角度がずれたりして安定性を欠き、両手を自由に使って、仕掛や餌の交換を行うには実用性に耐えない。またベルトに竿保持装置を取付けたものは、竿をロックする装置の操作が必要になり竿の太さの加減やロック方法に難があり、いずれも器具としては軽易性、簡便性、携帯性に不足であった。
そこで、本考案はシンプル且つ小型で携帯性に優れ、立釣りの際ベルトに簡単に着脱出来、釣竿の竿尻を本器具の輪の中に差込むだけの操作で釣竿を保持、両手を使える状態になり且つ、竿先が釣り人の前方向に保持されるので仕掛け等の絡みを防ぎ釣針や餌の取替えを容易にする竿受け器具を提供することを課題とする。
【課題を解決するための手段】
【０００４】
以上の課題を解決するために、請求項1の考案は、平らな帯状のものを輪にして楕円状に形成し、楕円形の長い部分の片方の前方と後方に面ファスナーまたは紐などを取付け、腰のベルト等に固定し、釣竿の竿尻をその輪の中に差込むことで、釣竿を簡単に身近かに保持できる器具によって両手を使えるようにした。
【考案の効果】
【０００５】
この考案によれば、魚の立釣りにおいて、簡単に釣竿を腰位置に保持し、両手を使える状態にすることができる。
【考案を実施するための最良の形態】
【０００６】
この考案の一実施形態を、図1に示す。
（１）は平らな帯状のものを輪にして楕円形に形成した竿受け本体。（２）は楕円形に形成した輪の片側を身体に取付け易いように平らにする。（３）は竿受け本体をベルト等に固定するための面ファスナーなど。
【０００７】
（１）の竿受け本体の帯状の幅は広すぎると挿入した釣竿の傾斜が高くなり竿が保持されずに竿尻方向下方に落込んでしまう。また形成された型が柔らかければ竿を挿入した際に保持出来ないので型崩れしない程度の強度が必要である。この形成により竿尻の大小や形、竿の長短に拘らずに使用可能である。勿論左右どちらでもＯＫ。
【０００８】
（３）は面ファスナーまたは紐などをベルトに固定出来るように取付ける。
【実施例１】
【０００９】
図2は竿受け器本体を釣人の腰のベルトに装着した状態である。
（１）は釣竿受け器本体。（３）は面ファスナーなどでベルトに固定した状態。（４）は釣人のスラックス。（５）はベルト。（６）はスラックスのベルト通し。
【００１０】
（５）のベルトは（６）のベルト通しによって更に固定されるので上下へのズレが少なくなる。
【実施例２】
【００１１】
図３は腰に装着した釣竿受け器に釣竿の竿尻を挿入した状態。
（１）は釣竿受け器本体。（７）は釣竿の竿尻部。（８）は釣竿の先端方向。
【実施例３】
【００１２】
図４は釣竿受け器に挿入された釣竿を安定保持する仕組みを示したものである。
【００１３】
（１）は釣竿受け器本体。（７）は釣竿の竿尻部。（８）は釣竿の先端方向。（９）は釣竿の竿尻が上方向に持上がる力を支える接点。（１０）は釣竿の先端方向が下方に下がる重力を支える接点。
【図面の簡単な説明】
【００１４】
【図１】釣竿受け器具の概観図
【図２】釣竿受け器具を釣人の腰のベルトに装着した状態
【図３】釣人の腰に装着した釣竿受け器具に釣竿を挿入保持した状態
【図４】挿入された釣竿を安定保持する仕組みを示したもの
【符号の説明】
【００１５】
１．釣竿受け器本体
２．釣竿受け器の内側（身体側）
３．面ファスナーなど
４．釣人のスラックス
５．釣人のベルト
６．スラックスのベルト通し
７．釣竿の竿尻
８．釣竿の先端方向
９．釣竿の竿尻部分が上方向に持上がるのを支える釣竿受け器の接点
１０．釣竿の先端方向部分が下方向に下がる重力を支える釣竿受け器の接点